(57)【特許請求の範囲】
【請求項１】
ディスプレイ機器によるプレゼンテーション情報の表示中に、入力デバイスを通じて取得される外部データを記録するステップと、
前記外部データから特徴量を求めるステップと、
前記プレゼンテーション情報の表示期間における一定の区間ごとに、前記特徴量を積算することにより重要度を算出するステップと、
予め定められた閾値を超える重要度を有する区間に対応するプレゼンテーション情報の一部分の第１の見出し情報を生成するステップと、
生成された第１の見出し情報を時間軸に沿って並べて前記ディスプレイ機器に提示するステップと、
前記第１の見出し情報に対する前記入力デバイスを用いた選択操作に応じて、前記プレゼンテーション情報の過去の表示内容を検索するステップと、
検索された過去の表示内容を前記ディスプレイ機器に表示するステップと、
前記第１の見出し情報に対する選択操作により前記過去の表示内容を表示したことに対して付与される第２の見出し情報を生成するステップと、
前記時間軸に沿って並べられた第１の見出し情報に前記生成された第２の見出し情報を加えて、前記ディスプレイ機器に提示するステップとを具備する情報提示方法。
【請求項２】
特徴量の種類に応じて異なる重要度算出比率を前記特徴量に乗じることにより前記重要度を算出する請求項１記載の情報提示方法。
【請求項３】
前記特徴量は、前記プレゼンテーション情報への注目度を反映しており、前記プレゼンテーション情報の表示時間の長さ又は前記プレゼンテーション情報に対して前記入力デバイスを通じて与えられた操作の量を表す請求項１記載の情報提示方法。
【請求項４】
前記プレゼンテーション情報が同じ内容を表示している時間がより長いほど前記重要度をより高くする請求項３記載の情報提示方法。
【請求項５】
前記重要度に寄与した特徴量の種類を表す文字列又はアイコンを表示するステップをさらに具備する請求項１記載の情報提示方法。
【請求項６】
前記重要度に応じた時間区間の長さを有する表示領域を含み、前記第１の見出し情報の選択操作に用いられるタイムライン・ユーザインタフェース画面を表示するステップをさらに具備する請求項１記載の情報提示方法。
【請求項７】
前記選択操作がなされた第１の見出し情報は前記第２の見出し情報に関連する見出しであることを前記タイムライン・ユーザインタフェース画面において区別可能に表示するステップを具備する請求項６記載の情報提示方法。
【請求項８】
プレゼンテーション情報を表示するためのディスプレイ機器と、
前記ディスプレイ機器によるプレゼンテーション情報の表示中に外部データを取得するための入力デバイスと、
前記入力デバイスにより取得された外部データから特徴量を求めて記憶する特徴量記憶部と、
前記プレゼンテーションデータの表示期間における一定の区間ごとに、前記特徴量を積算することにより重要度を算出する重要度算出部と、
予め定められた閾値を超える重要度を有する区間に対応するプレゼンテーション情報の一部分の第１の見出し情報を生成する見出し情報生成部と、
生成された第１の見出し情報を時間軸に沿って並べて表示するよう前記ディスプレイ機器を制御し、前記第１の見出し情報に対する前記入力デバイスを用いた選択操作に応じて、前記プレゼンテーション情報の過去の提示内容を検索するタイムライン・ユーザインタフェースとを具備し、
前記見出し情報生成部は、前記第１の見出し情報に対する選択操作により前記過去の表示内容を表示したことに対して付与される第２の見出し情報を生成し、
前記タイムライン・ユーザインタフェースは、前記時間軸に沿って並べられた第１の見出し情報に前記生成された第２の見出し情報を加えて提示するよう前記ディスプレイ機器を制御することを特徴とする情報提示装置。
【請求項９】
特徴量の種類に応じて異なる重要度算出比率を前記特徴量に乗じることにより前記重要度を算出する請求項８記載の情報提示装置。
【請求項１０】
前記特徴量は、前記プレゼンテーション情報への注目度を反映しており、前記プレゼンテーション情報の表示時間の長さ又は前記プレゼンテーション情報に対して前記入力デバイスを通じて与えられた操作の量を表す請求項８記載の情報提示装置。
【請求項１１】
前記プレゼンテーション情報が同じ内容を表示している時間がより長いほど前記重要度をより高くする請求項１０記載の情報提示装置。
【請求項１２】
前記タイムライン・ユーザインタフェースは、前記重要度に寄与した特徴量の種類を表す文字列又はアイコンを表示するよう前記ディスプレイ機器を制御する請求項８記載の情報提示装置。
【請求項１３】
前記タイムライン・ユーザインタフェースは、前記重要度に応じた時間区間の長さを有する表示領域を表示するよう前記ディスプレイ機器を制御し、該表示領域は前記第１の見出し情報の選択操作に用いられる請求項８記載の情報提示装置。
【請求項１４】
前記タイムライン・インタフェースは、前記選択操作がなされた第１の見出し情報が前記第２の見出し情報に関連する見出しであることを区別可能に表示するよう前記ディスプレイ機器を制御する請求項１３記載の情報提示装置。
【請求項１５】
前記ディスプレイ機器は電子ホワイトボードを含む請求項８記載の情報提示装置。
【請求項１６】
ディスプレイ機器によるプレゼンテーション情報の表示中に、入力デバイスを通じて取得される外部データを記録する手順と、
前記外部データから特徴量を求める手順と、
前記プレゼンテーション情報の表示期間における一定の区間ごとに、前記特徴量を積算することにより重要度を算出する手順と、
予め定められた閾値を超える重要度を有する区間に対応するプレゼンテーション情報の一部分の第１の見出し情報を生成する手順と、
生成された第１の見出し情報を時間軸に沿って並べて前記ディスプレイ機器に表示する手順と、
前記第１の見出し情報に対する前記入力デバイスを用いた選択操作に応じて、前記プレゼンテーション情報の過去の提示内容を検索する手順と、
検索された提示内容を前記ディスプレイ機器に表示する手順と、
前記第１の見出し情報に対する選択操作により前記過去の表示内容を表示したことに対して付与される第２の見出し情報を生成する手順と、
前記時間軸に沿って並べられた第１の見出し情報に前記生成された第２の見出し情報を加えて、前記ディスプレイ機器に提示する手順とをコンピュータに実行させるための情報提示プログラム。
【発明の詳細な説明】
【技術分野】
【０００１】
本発明は、ディスプレイ機器に表示されたプレゼンテーション映像、表示中のデータの場所を示す情報、表示中の映像に対して行った操作情報及び周囲の音声・画像情報等から見出し情報を生成して提示し、過去に提示された情報等に容易にアクセスすることのできる情報提示装置に関する。
【背景技術】
【０００２】
会議や授業などにおいて、ディスプレイ機器や電子ホワイトボードが活用されている。これは、プロジェクターやパーソナルコンピュータのモニターなどを用いてプレゼンテーションデータを投影して説明や議論に用いられるもので、また電子ホワイトボードの場合はペンや指先の位置を検出することでプレゼンテーション情報に対する書き込みも行えるものである。
【０００３】
このような活動において、以前参照した資料や書き込んだ内容を再び参照したいという場合がたびたびあるが、その場合、大抵は保存している場所を探して表示したり、資料の所有者が持つパーソナルコンピュータとディスプレイ機器を接続し直して表示したり、あるいは書き込みが失われて表示されない、ということがあり、以前提示されていた内容を再び提示するためには大きな人的、時間的コストがかかる。
【０００４】
このようなコストの解消のために、会議あるいは授業の様子を全て記録し、検索ユーザインタフェースを提供することで再び提示する方法が提案されている。例えば、下記特許文献１には、アノテーションを用いた活性度の付与と要約生成への活用について記載されている。
【０００５】
下記特許文献２には、音声、画像、センサ情報の特徴量を可視化して会議データを検索することが記載されている。
【０００６】
下記特許文献３及び４には、議事録を時間に沿って提示し、過去の議事内容を議事録に沿って振り返ることが記載されている。
【特許文献１】特開２００４−１９９４０８号公報
【特許文献２】特開２００４−１７３０５８号公報
【特許文献３】特開平７−１８２３６５号公報
【特許文献４】米国特許第５，５７２，７２８号明細書
【発明の開示】
【発明が解決しようとする課題】
【０００７】
会議が行われている最中において、発表者がその会議で既になされた重要な議事の内容に振り返りつつ、会議を進行させる場合がしばしばある。このとき、資料等のプレゼンテーションデータの提示操作を行う発表者は、そのような重要な議事内容に対応する、既に提示されたプレゼンテーションデータを容易に呼び出して再度提示できることが好ましい。
【０００８】
そして、例えば発表者が既になされた議事内容を振り返って会議を進行したこと自体が、重要な議事内容として記録され、これに応じて検索インタフェースにおいて提示される見出し情報（議事録）等が会議進行中に更新されることが好ましい。しかしながら、このような即時性を備えた検索インタフェースはこれまでに提供されていない。
【０００９】
したがって、本発明は、プレゼンテーション中に検索インタフェースにおける表示情報の重要度を更新し、過去の情報提示内容を振り返って提示することのできる情報提示方法、情報提示装置及び情報提示プログラムを提供することを目的とする。
【課題を解決するための手段】
【００１０】
本発明の一観点に係る情報提示方法は、ディスプレイ機器によるプレゼンテーション情報の表示中に、入力デバイスを通じて取得される外部データを記録するステップと、前記外部データから特徴量を求めるステップと、前記プレゼンテーション情報の表示期間における一定の区間ごとに、前記特徴量を積算することにより重要度を算出するステップと、予め定められた閾値を超える重要度を有する区間に対応するプレゼンテーション情報の一部分の第１の見出し情報を生成するステップと、生成された第１の見出し情報を時間軸に沿って並べて前記ディスプレイ機器に提示するステップと、前記第１の見出し情報に対する前記入力デバイスを用いた選択操作に応じて、前記プレゼンテーション情報の過去の表示内容を検索するステップと、検索された過去の表示内容を前記ディスプレイ機器に表示するステップと、前記選択操作がなされた区間に対応するプレゼンテーション情報の一部分の第２の見出し情報を生成するステップと、前記時間軸に沿って並べられた第１の見出し情報に前記生成された第２の見出し情報を加えて、前記ディスプレイ機器に提示するステップとを具備する。
【発明の効果】
【００１１】
本発明によれば、プレゼンテーション中に検索インタフェースにおける表示情報の重要度を更新することができ、そのような更新後の検索インタフェースにおける表示情報に基づいて過去の情報提示内容を振り返って提示することのできる情報提示方法、情報提示装置及び情報提示プログラムを提供できる。したがって、会議中の情報提示や検索にかかる作業時間を短くし、本質的なディスカッションに割く時間を長くすることが可能となる。
【発明を実施するための最良の形態】
【００１２】
以下、図面を参照しながら本発明の実施形態を説明する。
【００１３】
本発明の実施形態は、会議中の書き込み、資料参照、音声などの特徴量を求めて記録し、それら特徴量から会議のある場面における重要度を算出し、会議中の代表的な場面を表す見出し情報を生成する手段を設けることで、過去の会議中の任意の場面を容易に取り出すことができるようにしたものである。本発明の実施形態は、ＣＰＵなどの制御装置と、ＲＯＭやＲＡＭなどの記憶装置と、ＨＤＤなどの外部記憶装置と、ディスプレイ装置などの表示装置と、キーボード、マウスなどの入力装置とを備えた一般的なコンピュータを用いて実現することができる。
【００１４】
図１は、本発明の一実施形態に係る会議支援システムを示す概要図である。図１に示すように、会議支援システムは、ミーティングサーバ１、電子ホワイトボード２、資料ストレージ４、会議ログストレージ５、ペン６、マイク７、カメラ８などから構成される。
【００１５】
ミーティングサーバ１には電子ホワイトボード２が接続されており、資料ストレージ４から会議で用いられる資料ファイルを読み出して電子ホワイトボード２に送信する。資料ストレージ４に格納される資料ファイルは、例えばマイクロソフト社のＰｏｗｅｒＰｏｉｎｔ（登録商標）やＥｘｃｅｌ（登録商標）などの電子ファイルである。
【００１６】
ペン６は、例えば会議における発表者Ｈ１が電子ホワイトボード２の表示画面上で位置指定を行ったり、線画や文字等の描画を行うための入力デバイスである。
【００１７】
マイク７は、例えば会議の参加者Ｈ２の発言を記録する。カメラ８は、会議の模様を映像として記録するために設けられる。マイク７及びカメラ８からの入力及び電子ホワイトボード２へのペン６を用いた入力、資料の提示、編集、電子ホワイトボード２の画面及び画面切り替えなどは、ミーティングサーバ１において集中管理され、該ミーティングサーバ１に接続された会議ログストレージ５に記録される。
【００１８】
電子ホワイトボード２では、会議ログストレージ５に記録されたデータを会議の最中に電子ホワイトボード２上にいつでも呼び出すことができ、このため、スライダ操作により過去の記録を呼び出すためのタイムライン・ユーザインタフェース（以下、「タイムライン」という）３を備える。
【００１９】
会議ログストレージ５は、ペン６などの入力を「特徴量」と呼ばれる値に変換し、一定の時間帯における特徴量を時間情報とともに記録する。図２は記録される特徴量を図示したものである。ある一定時間において発生した特徴量Ｆ１の値を時間軸に沿って記録する。特徴量Ｆ１にはいくつかの種類があり、その種類ごとに分類して記録される。図３は特徴量の種類の一例である。例えば、「ペン」の特徴量は「描画量」であり、「マイク」の特徴量は「音量」、「カメラ」の特徴量は「映像変化量」、「資料」の特徴量は「切り替え、表示時間、参照回数」、「ホワイトボード」の特徴量は「切り替え、表示時間、参照回数」、「タイムライン」の特徴量は「参照回数」であったりする。
【００２０】
ペン６を用いた入力に基づく特徴量は、ペン６がその一定時間内にどの程度の描画を行ったかが特徴量として利用される。描画を行った量は、ペン６によって描かれたベクトルデータの長さの合計などで計測される。ペンの太さや色などによって特徴量を変更しても良い。
【００２１】
マイク７を用いた入力に基づく特徴量は、マイク７に入力された音声の音量の総計が用いられる。マイク７が複数ある場合は、それらマイク７の音量の合計を用いる。この特徴量は、会議中の議論などによって多くの発言がなされた場面で多くなる。特徴量として一定の音量を越えた入力が得られた時間を用いても良い。
【００２２】
カメラ８を用いた入力に基づく特徴量は、フレーム間の画像の変化量を用いる。画像の変化量は、参加者Ｈ２がなんらかのジェスチャーを行ったときや、電子ホワイトボード２上の資料の切り替えや資料への書き込みなどを行ったときに多くなる。
【００２３】
ミーティングサーバ１を介した、電子ホワイトボード２上に表示される資料に対する操作も特徴量として用いられる。具体的には、スライドのページの切り替えというイベントの発生に一定の特徴量を付加したり、あるひとつのスライドがどれだけの時間にわたって電子ホワイトボード２上に表示されていたかを示す表示時間、そのスライドが会議中で何回表示されたか、又は編集されたかを示す参照回数を特徴量として用いたり、という動作を行う。これら複数の特徴量は、単純に合算して、資料に関する特徴量として扱っても良いし、別々の特徴量として扱っても良い。
【００２４】
電子ホワイトボード２の操作も、資料に関する特徴と同様に、そのページの切り替え操作、ページの表示時間、参照時間などを特徴量として用いる。
【００２５】
電子ホワイトボード２上のタイムライン３を用いて、会議ログに蓄積された過去の会議を参照することができるが、それによってある時間帯の会議ログを参照した、その参照回数を特徴量として用いる。タイムライン３は、スライダだけ表示する場合、見出しに対応する文字列を表示する場合、見出しを表すサムネイル画像を表示する場合、必要に応じていずれの表示形式にも切り替えることができる。また、タイムライン３の方向は必要に応じて縦横、上下いずれにも切り替えることができる。
【００２６】
これら記録された特徴量は、会議のどの部分が参加者Ｈ２にとって重要であるかの判別に用いられる。
【００２７】
図４は、図１に示されるミーティングサーバ１、資料ストレージ４、及び会議ログストレージ５に基づいて構成される会議資料記録提示装置の機能ブロック図である。同図に示すように、会議資料記録提示装置は、映像表示装置１００、プレゼンテーションデータ入力部１０１、外部データ入力部１０２、データ制御部１０３、重要度算出部１０４、見出し情報生成部１０５、見出し情報選択部１０６、見出し情報格納部１０７、プレゼンテーションデータ格納部１０８、および外部データ格納部１０９から構成される。
【００２８】
見出し情報格納部１０７、プレゼンテーションデータ格納部１０８、外部データ格納部１０９は、ＨＤＤ、光ディスク、メモリカード、ＲＡＭなどの一般的に利用されているあらゆる記憶手段により構成することができる。
【００２９】
以下に、各機能ブロックの説明を行う。それぞれの機能ブロックを構成するデータ構造及び処理の手順については後述する。
【００３０】
映像表示装置１００は、ビデオプロジェクタや電子ホワイトボード２、パーソナルコンピュータの画面などのディスプレイ装置であり、プレゼンテーションデータやタイムライン３を電子ホワイトボード２上に表示する。プレゼンテーションデータ入力部１０１は、映像表示装置１００に投影すべきデータの映像信号及びデータのファイル属性を入力として受け付ける。外部データ入力部１０２は、上記のペン６からの入力や音声情報など映像投影とともに記録されるデータを受け付ける入力部である。データ制御部１０３は、プレゼンテーションデータ入力部１０１と外部データ入力部１０２から得られたデータを時間情報に基づいて統合し、プレゼンテーションデータ格納部１０８、外部データ格納部１０９に格納するとともに、映像表示装置１００に投影すべき映像データを出力する。また、見出し情報格納部１０７から見出し情報を読み出し、タイムライン３とあわせて電子ホワイトボード２上に表示する機能を提供する。重要度算出部１０４は、データ制御部１０３よりプレゼンテーションデータと外部データを取得し、投影された映像データに対して重要度を算出し、重要度に応じて映像を所定の区間に分割する。見出し情報生成部１０５は、重要度算出部１０４で得られた重要度の高い区間に対して、タイムライン３上に表示する見出し情報を生成する。見出し情報選択部１０６は、映像表示装置１００上に表示されたタイムライン３で選択された見出しに対応する表示データをデータ制御部１０３より読み出し、映像表示装置１００上に表示する。見出し情報選択部１０６で選択された見出し情報に対応する映像区間の重要度は重要度算出部１０４において更新される。見出し情報格納部１０７は、見出し情報生成部１０５によって生成された見出し情報を格納する。プレゼンテーションデータ格納部１０８は、プレゼンテーションデータの映像及びデータのファイル属性や参照先などの情報を格納する。外部データ格納部１０９は、プレゼンテーションデータ提示中に記録された上記の各特徴量を格納する。
【００３１】
以上のように構成された本実施形態の動作を説明する。
【００３２】
図５は、会議ログストレージ５に特徴量を記録する場合の処理手順を示すフローチャートである。会議の開始（ステップＳ１０１）とともに、特徴量の記録を開始する。まず会議ログストレージ５に会議情報を記録する（ステップＳ１０２）。会議情報には、電子ホワイトボード２上に表示される画像情報や、カメラ８からの会議の様子を記録した動画、マイク７から取得した音声などが含まれる。同時に、図３に示される特徴量を計算し、種別ごとに記録する（ステップＳ１０３）。会議情報や特徴量には時間情報が付加されて記録される。以上の記録動作を会議終了まで行う（ステップＳ１０４）。最終的に、会議を通じて取得された情報及び特徴量は、全て、ミーティングサーバ１、会議ログストレージ５、資料ストレージ４のいずれかに格納される。
【００３３】
図６に、会議ログストレージ５に格納されるイベントの例を示す。電子ホワイトボード２上の画像表示や、音声発話、ペン６からの入力などの特徴量６０が、タイムスタンプ６１とともに格納される。
【００３４】
図７は、記録された会議情報及び特徴量を用いてタイムライン３が見出し情報生成を含む処理を行う手順を示すフローチャートである。尚、この処理は図５の会議記録動作と並行に行われる。
【００３５】
まず、複数の種別の特徴量から、各場面における重要度を算出するための、重要度算出比率を設定する（ステップＳ２０１）。重要度算出比率は、複数種類の特徴量から重要度を算出するためのもので、特徴量のうちどの種類を重視して重要度を算出するか、ということを設定する。図８は重要度算出比率の設定に用いられるユーザインタフェースの一例を示す図である。種別ごとの重要度への影響の比率をバー８０，８１．．．の長さで表す。ユーザは、例えばバー８０とバー８１との間のスライダ８２を左右にドラッグすることで比率を変化させることができる。
【００３６】
次に、タイムライン３においていつからいつまでの時間範囲を表示するかを設定する（ステップＳ２０２）。
【００３７】
設定された時間範囲から、特徴量や重要度をどの程度の粒度の時間範囲で区切って計算するかを設定する（ステップＳ２０３）。以下、この時間範囲をフレームと呼ぶ。
【００３８】
次に、各フレームの特徴量及び重要度を算出する（ステップＳ２０４）。特徴量はそのフレームに含まれる時間帯の特徴量を合算することで得られる。重要度は図９のように、それら特徴量を重要度算出比率に応じて合算することで得られる。これらの処理は図４における重要度算出部１０４により行われる。
【００３９】
次に、それらフレームから、見出し情報を付加する重要なフレームを算出するための、重要度の閾値を算出する（ステップＳ２０５）。閾値は、タイムライン３において表示可能な見出し情報の数と、計算された各フレームの重要度から、算出する閾値を超える重要度を持つフレーム数が表示可能な見出し情報の数以内に収まるように設定される。タイムライン３において表示可能な見出し情報の数は、電子ホワイトボード２上の表示範囲などの制限によって決定される。
【００４０】
図１０に示すように、閾値Ｔ１を算出した後、その閾値Ｔ１を越える重要度３００を有するフレームに対して見出し情報を付加する（ステップＳ２０６）。図１１に示すように、そのフレームにおける重要度が特定の特徴量を高い割合で含む場合、その特徴量の種類に対応するアイコンを、特徴アイコンＩ１，Ｉ２として表示しても良い。これらの処理は図４における見出し情報生成部１０５において行われ、生成された見出し情報は見出し情報格納部１０７に格納される。
【００４１】
図１２に、見出し情報の格納例を示す。見出しの開始時刻１２０とともに、重要度の算出結果に基づく見出し内容１２１、及び他の見出し情報との対応関係として、当該見出しに関連する見出しの時刻１２２が格納される。他の見出し情報との対応付けについては後述する。
【００４２】
また、図５において特徴量を記録する際に、量を表す値だけでなく、その特徴量に関連する属性情報を取得しても良い。その場合、図１３に示すような、特徴量の各種類に対応する属性を特徴量に付加した情報が、会議ログストレージ５に記録される。
【００４３】
ペン６による入力に対しては、例えば発表者Ｈ１が操作したペン６が丸や下線などの特定の図形を記述したことをストロークとして認識し、その形の種類や図形が電子ホワイトボード２上のどの範囲をカバーしているかを表す範囲を属性として付加することができる。また文字認識を行うことで、ペン６によってどのような文字が記述されたかの情報を付加することができる。
【００４４】
マイク７による入力に対しては、音声認識を行うことで発言内容の文字列を付加することができる。また各参加者Ｈ２の前に備わったマイク７の音量から発言者がだれかという情報を付加することができる。
【００４５】
カメラ８による入力に対しては、画像認識を行うことで、参加者Ｈ２がどのようなジェスチャーを行ったかという情報を付加することができる。ジェスチャー情報には、動き方の種類や電子ホワイトボード２中のどの範囲を指しているかを表す指示範囲が含まれる。
【００４６】
資料の提示に対しては、その資料の特定部分を表示するためのスクロールやズーム動作から注目点を判別し、付加することができる。またスライドに対してはそのスライドのタイトルや、全スライド中の何ページ目かという情報を付加することができる。
【００４７】
電子ホワイトボード２への操作に対しては、ポインタ機能を使って行われたポイントの範囲を情報として付加することができる。
【００４８】
図７に説明を戻す。タイムライン３への見出し情報表示は、図４における見出し情報表示部（映像表示装置１００）を用いて行われる（ステップＳ２０７）。タイムライン３への操作に対しては、その操作を誰が行ったかという操作者の情報を付加することができる。
【００４９】
特徴量に上記のような属性が付加されている場合、ある見出し情報に対応する特徴量の属性に基づいて、図１４に示すように、その見出し情報を説明する説明文１４０を付加することができる。また特定の属性を持つ特徴量に対して、その値を増加させることで、重要な属性を備えたフレームに見出し情報が付加されやすくなるようにしても良いし、図１５に示すように、タイムライン３とサムネイル画像１５０とを対応付けて表示しても良い。
【００５０】
尚、重要度は前フレームからの特徴量の変化量に基づいて計算されても良い。閾値を越える連続する複数のフレームをひとまとまりにし、それら複数フレームに対して１つの見出し情報を対応付けても良い。また、図１６に示すように、各フレームの重要度に応じて、タイムライン３上に表示される各フレームの長さを変更することで、重要なフレームとそうでないフレームの間での表示粒度を変更しても良い。
【００５１】
［他の見出し情報との対応付け］  
図５の特徴量記録において、ユーザがタイムライン３上のスライダの操作による過去の議事の振り返りをしている場合、過去の議事における特徴量を加味した重要度判定を行うための、過去特徴量を記録する場合の処理を図１７のフローチャートに示す。タイムライン３上のスライダ操作によって過去の議事の電子ホワイトボード２上への呼び出しを行っている場合（ステップＳ３０１）、その過去の議事に対応する時間の特徴量を取得し（ステップＳ３０２）、その値を過去特徴量として作業メモリ等に一時的に記録する（ステップＳ３０３）。図１８に示すように、過去特徴量１８０と通常のリアルタイムに取得する特徴量１８１とを合算した値が、その時点での特徴量となり、重要度の算出に用いられる（ステップＳ３０４）。過去特徴量は、その記録の前に一定の係数を積算することで、重要度の算出に影響する重みを、通常の特徴量とは異ならせるとよい。
【００５２】
過去の議事に振り返る前の見出し表示内容と、振り返った後の見出し表示内容とは対応付けられる。以前に表示したデータを再度参照し、その参照したデータに情報を追記する例について図１９及び図２０のフローチャートを用いて説明する。
【００５３】
画面２０１において、「Ａ」という文字が描画された直後に、ユーザが画面２０２のようにスライダ１９０をスライドさせることで、図４における見出し情報選択部１０６が呼び出され、スライドされた場所に対応する画像が表示される。画面２０１では、以前描いた「Ｔ」が表示される。この時、新しい見出し情報が生成され、参照された元の見出し情報との対応付けが行われる。画面２０３のように「Ｔ」の上にペン６で追記を行った後、画面２０４のように再びスライダ１９０を表示させると「Ａ」の記入時に表示されていた領域の下に、もう一つ領域１９１が追加される。画面２０２において「Ｔ」を参照した時の領域１９３に対応する、画面２０４における領域１９２は例えば網掛けを付加することにより表示態様が変更されて表示される。「Ｔ」の直前に描いた「Ａ」を再度編集する場合は画面２０５のようにスライダ１９０を一つ上の領域１９４まで上げることで表示される。この画面２０５の領域１９４は、画面２０１における領域１９５に対応している。
【００５４】
図２０に示すように、まず直前のイベント内容を取得する（ステップＳ４０１）。次に、過去のプレゼンテーション内容への参照かをステップＳ４０２において判定する。過去のプレゼンテーション内容への参照であるならば、操作後の表示内容に対して見出しを生成し（ステップＳ４０３）、この作成された見出しに対して、参照元の見出しを関連見出しとして登録する（ステップＳ４０４）。関連見出しとして参照した見出しに装飾（領域１９２）をして表示する（ステップＳ４０５）。
【００５５】
以前に表示したデータを関連付けて表示する方法としては、上述したように装飾して表示する場合の他に、図２１に示すように、同じファイルを表示している見出し２１０や、参照関係にある見出し２１１を並べて表示することで、関連する見出し情報にすぐにアクセスできるようにしてもよい。
【００５６】
以上説明したように、本実施形態によれば、タイムライン３上に重要度に応じた見出し情報を付加することで、タイムライン３上において重要な場面を再び電子ホワイトボード２上に呼び出すことが容易になる。重要度は複数の特徴量から算出され、それら特徴量のうちどの特徴量を重視して見出し情報を付加するかを設定するユーザインタフェースを備えることで、システムを利用するユーザや場面に応じた適切な見出し情報を得ることができる。また見出し情報は、タイムライン３上に表示する時間範囲を変化させた場合でも、表示可能な適切な数に抑えられ、タイムライン３上の時間粒度の変化に対応することが可能である。
【００５７】
見出し情報には、特定の特徴から重要と判断されたことを表す特徴アイコンや、その特徴に付加された属性から得られる見出し情報説明文を付加することができ、それによって複数の見出し情報からユーザが必要としている会議中の場面を指定することが容易になる。
【００５８】
特徴量に合わせてタイムライン３上のフレームの長さを調整することで、会議中の重要な部分が視覚的に判別できるとともに、タイムライン３上のスライダを用いて過去の会議を参照する場合、重要な場面ほどより細かい粒度で参照することが可能になる。
【００５９】
また、過去特徴量を加味した特徴量算出を行い、スライダを用いた振り返りを行った場面の重要度を増加させることによれば、会議中に何度も参照した場面の重要度が増すことになる。これによれば、見出し情報をリアルタイムに更新することができ、会議中に繰り返し注目された場面を更新後の見出し情報表示に基づいて容易に呼び出すことができるようになる。
【００６０】
尚、本実施の形態にかかる会議資料記録提示装置で実行される会議資料記録提示プログラムは、インストール可能な形式又は実行可能な形式のファイルでＣＤ−ＲＯＭ、フロッピー（登録商標）ディスク、ＣＤ−Ｒ、ＤＶＤ等のコンピュータで読み取り可能な記録媒体に記録されて提供することができる。
【００６１】
また、本実施の形態にかかる会議資料記録提示装置で実行される会議資料記録提示プログラムを、インターネット等のネットワークに接続されたコンピュータ上に格納し、ネットワーク経由でダウンロードさせることにより提供するように構成しても良い。また、本実施の形態にかかる会議資料記録提示で実行される会議資料記録提示プログラムをインターネット等のネットワーク経由で提供又は配布するようにしても良い。
【００６２】
また、本実施の形態の会議資料記録提示プログラムを、ＲＯＭ等に予め組み込んで提供するように構成しても良い。
【００６３】
本実施の形態にかかる会議資料記録提示装置で実行される資料提示プログラムは、上述した各部を含むモジュール構成となっており、実際のハードウェアとしてはＣＰＵが上記記憶媒体から会議資料記録提示プログラムを読み出して実行することにより上記各部が主記憶装置上にロードされ、上述した各部が主記憶装置上に生成されるようになっている。
【００６４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６５】
【図１】本発明の一実施形態に係る会議支援システムを示す概要図
【図２】時間に沿った特徴量の記録例を示す図
【図３】特徴量の種類の一例を示す図
【図４】会議資料記録提示装置の機能ブロック図
【図５】会議ログストレージ５に特徴量を記録する場合の処理手順を示すフローチャート
【図６】会議ログストレージ５に格納されるイベントの一例を示す図
【図７】記録された会議情報及び特徴量を用いてタイムライン３が見出し情報生成を含む処理を行う手順を示すフローチャート
【図８】重要度算出比率の設定に用いられるユーザインタフェースの一例を示す図
【図９】特徴量を重要度算出比率に応じて合算することにより重要度を算出する例を示す図
【図１０】重要度の閾値比較を示す図
【図１１】重要度に寄与する特徴量の種類を表す特徴アイコンの表示例を示す図
【図１２】見出し情報の格納例を示す図
【図１３】会議ログストレージ５に記録される属性付き特徴量の一例を示す図
【図１４】見出し情報を説明する説明文の表示例を示す図
【図１５】タイムライン３とサムネイル画像１５０との対応付け表示例を示す図
【図１６】フレームの重要度に応じた表示粒度の変更例を示す図
【図１７】過去の議事における特徴量を加味した重要度判定を行うための、過去特徴量を記録する場合の処理手順を示すフローチャート
【図１８】過去特徴量１８０と通常のリアルタイムに取得する特徴量１８１との合算を示す図
【図１９】過去の議事に振り返る前の見出し表示内容と、振り返った後の見出し表示内容とは対応付けを説明するためのフローチャート
【図２０】過去の議事に振り返る前の見出し表示内容と、振り返った後の見出し表示内容との対応付け表示例を示す図
【図２１】関連する見出し情報の表示例を示す図
【符号の説明】
【００６６】
１…ミーティングサーバ；
２…電子ホワイトボード；
３…タイムライン・ユーザインタフェース；
４…資料ストレージ；
５…会議ログストレージ；
６…ペン；
７…マイク；
８…カメラ
【図１】
0004439462.tif 000002
【図２】
0004439462.tif 000003
【図３】
0004439462.tif 000004
【図４】
0004439462.tif 000005
【図５】
0004439462.tif 000006
【図６】
0004439462.tif 000007
【図７】
0004439462.tif 000008
【図８】
0004439462.tif 000009
【図９】
0004439462.tif 000010
【図１０】
0004439462.tif 000011
【図１１】
0004439462.tif 000012
【図１２】
0004439462.tif 000013
【図１３】
0004439462.tif 000014
【図１４】
0004439462.tif 000015
【図１５】
0004439462.tif 000016
【図１６】
0004439462.tif 000017
【図１７】
0004439462.tif 000018
【図１８】
0004439462.tif 000019
【図１９】
0004439462.tif 000020
【図２０】
0004439462.tif 000021
【図２１】
0004439462.tif 000022